(57)【要約】【課題】ＱＡＭ信号光およびパイロット光の信号帯域が送受信回路内で制限される場合であっても２乗検波により生成されるビート成分の強度を保つことができ、受信特性が劣化し難い光ＣＤＭ送信回路および光ＣＤＭ受信回路を提供することを目的とする。【解決手段】本発明においては、多値信号光を構成する互いに光位相が直交する各成分間のシンボル位相差が１／（２Ｂ）［ｓ］であり、各成分がシンボル中心である時に当該成分とパイロット光とが同相となる。そのため、多値信号光およびパイロット光の信号帯域が送受信回路内で制限されて信号波形が鈍った場合においても、パイロット光と多値信号光を構成する互いに光位相が直交する２成分のいずれかとが同相となる時に多値信号光におけるシンボル間の遷移時間内となることがない。よって、従来の方式において課題となる受信特性の劣化が生じない。ここで、Ｂは多値データのシンボル速度である。【選択図】図２
2013081077.tif 000002
【特許請求の範囲】
【請求項１】
２種の符号要素で構成された符号長がＫ以下（Ｋは２以上の整数）であるＮ個（Ｎは２以上の整数）の固有符号に基づき、Ｎ個の２値データからＫ個のＢ［Ｓｙｍｂｏｌ／ｓ］多値データを生成する２値／多値変換手段と、
それぞれ光周波数が異なる連続光が入力され、入力された前記連続光を分岐し、一方を前記多値データのうちの２個を用いてそれぞれ変調して２つの多値信号光を生成して出力し、他方をＢ［Ｈｚ］クロックを用いてπ／２位相変調したパイロット光を生成して出力する光変調手段と、
各々の前記光変調手段が出力する前記多値信号光と前記パイロット光とを合波して、多波長信号光および多波長パイロット光を出力する光合波手段と、
を備え、
前記光変調手段は、
出力する前記多値信号光について、前記多値信号光を構成する互いに光位相が直交する各成分間のシンボル位相差を１／（２Ｂ）［ｓ］とし、
出力する前記パイロット光について、前記多値信号光を構成する互いに光位相が直交する各成分がシンボル中心である時に前記成分と同相とし、且つ偏光状態を前記多値信号光と一致させることを特徴とする光ＣＤＭ送信回路。
【請求項２】
前記２値／多値変換手段は、Ｎ個の拡散符号器、Ｋ個の加算器を有しており、
各々の前記拡散符号器は、
前記固有符号が割り当てられ、割り当てられた前記固有符号の符号長以上の個数の出力端を持ち、前記固有符号を構成する各符号要素を前記出力端へ順に対応させた際に、前記２種の符号要素のうちの一方の符号要素に対応する前記出力端からは前記拡散符号器へ入力された２値データとシンボル値が一致する信号を出力し、他方の符号要素に対応する前記出力端からは０を出力し、
ｋ番目（ｋ＝１，２，・・・，Ｋ）の前記加算器は、
ｋ番目の前記多値データのシンボル値が、各々の前記拡散符号器のｋ番目の出力端からの出力信号のシンボル値の和となるように、各々の前記拡散符号器のｋ番目の出力端からの出力信号を加算することを特徴とする請求項１に記載の光ＣＤＭ送信回路。
【請求項３】
前記光変調手段が出力する前記多値信号光を構成する互いに光位相が直交する２成分は、
それぞれの光電界強度が、前記光変調手段へ入力された２個の前記多値データのうち対応する一方のシンボル値に応じて変動し、
前記光変調手段内でのそれぞれの光位相シフト量が、前記光変調手段へ入力された２個の前記多値データのうち対応する一方のシンボル値に応じて、差がπである２値のいずれかとなることを特徴とする請求項１または２に記載の光ＣＤＭ送信回路。
【請求項４】
請求項１から３のいずれかに記載の光ＣＤＭ送信回路からの多波長信号光および多波長パイロット光が入力され、前記多波長信号光および前記多波長パイロット光を光周波数成分ごとに分波して出力する光周波数分波手段と、
前記光周波数分波手段から入力光を２乗検波し、前記多値信号光と前記パイロット光とのビート成分を主信号として取り出すことで、前記多値信号光を構成する互いに光位相が直交する各成分が搬送する多値データを交互に時分割多重する光検波器と、
前記光検波器が出力する時分割多重された多値データを分離して、別々の分離出力端から出力するＤＥＭＵＸ手段と、
１番目からＮ番目の前記固有符号のうちの１つが割り当てられ、前記ＤＥＭＵＸ手段の各分離出力端が接続されており、割り当てられた前記固有符号を構成する前記符号要素を前記分離出力端へ順に対応させた際に、前記固有符号を構成する２種の前記符号要素のうちの一方に対応する前記分離出力端からの入力を正、他方の前記符号要素に対応する前記分離出力端からの入力を負として加える加減算を行い、前記２値／多値変換手段に入力された前記２値データのうちの１つを選択的に取り出す電気復号化手段と、
を備える光ＣＤＭ受信回路。
【発明の詳細な説明】
【技術分野】
【０００１】
本発明は、光ＣＤＭ送信回路および光ＣＤＭ受信回路の構成に関する。
【背景技術】
【０００２】
光符号分割多重（ＣＤＭ：Ｃｏｄｅ  Ｄｉｖｉｓｉｏｎ  Ｍｕｌｔｉｐｌｅｘｉｎｇ）方式は、固有符号に応じて符号拡散された光ＣＤＭ信号を多重伝送する方式である。各々の送受信回路には、固有符号が割り当てられる。各送信回路は、割り当てられた固有符号に対応して符号拡散された光ＣＤＭ信号を出力する。受信回路は、同じ固有符号を割り当てられた送信回路が出力する光ＣＤＭ信号のみを復号可能であり、多重された光ＣＤＭ信号から所望信号を選択的に受信する。
【０００３】
これまでに、パルス信号光の各光周波数成分の光位相を、送信回路に割り当てられた固有符号に応じて変調することにより、パルス信号光を時間軸上に拡散する方式が提案されている（例えば、非特許文献１及び２を参照。）。また、ＳＳＦＢＧ（Ｓｕｐｅｒｓｔｒｕｃｔｕｒｅｄ  Ｆｉｂｅｒ  Ｂｒａｇｇ  Ｇｒａｔｉｎｇ）などを用いて、パルス信号光を直接的に時間軸上に拡散する方式も提案されている（例えば、非特許文献３を参照。）。
【０００４】
しかしながら、これらの方式では、光位相の厳密な制御やチップ時間（＝ビット時間／符号長）オーダの時間制御を行う光符復号デバイスが送受信回路内に必要となる。また、多元接続干渉（ＭＡＩ：Ｍｕｌｔｉｐｌｅ  Ａｃｃｅｓｓ  Ｉｎｔｅｒｆｅｒｅｎｃｅ）や、検波時に生じる信号光間コヒーレント干渉であるビート雑音により、受信特性が劣化する。信号光間の時間同期に基づく時間ゲートや、光媒質の非線形特性を用いた光閾値デバイス、前方誤り訂正（ＦＥＣ：Ｆｏｒｗａｒｄ  Ｅｒｒｏｒ  Ｃｏｒｒｅｃｔｉｏｎ）の適用によりＭＡＩやビート雑音の影響が低減できるが、受信回路構成が複雑化するという課題がある。
【０００５】
これに対し、図１のように、送信回路内の２値／多値変換手段における電気段での符号拡散および信号多重に基づいて生成された多値データで、各光周波数成分を多値振幅変調（ＡＳＫ：Ａｍｐｌｉｔｕｄｅ  Ｓｈｉｆｔ  Ｋｅｙｉｎｇ）した多値ＡＳＫ信号光を光周波数多重した多波長信号光を送受信する方式が提案されている（例えば、非特許文献４を参照。）。
【０００６】
受信回路では、光周波数ごとに分波した各光周波数成分をそれぞれ直接検波して復調した多値データを、電気復号化手段にて、受信回路に割り当てられた固有符号に応じて加減算し、所望２値データを選択的に取り出す。直接検波により復調される多値データは、各シンボル値に対応する電圧レベルが等間隔であり、電圧レベル間隔は異なる光検波器が生成する多値データ間で一致する。よって、アダマール符号やビットシフトしたＭ系列符号などの直交符号を固有符号として用いる場合、加減算により非所望データ成分を除去することができる。また、光領域で信号光の多重を行わないため、検波時にビート雑音が生じない。つまり、この方式では、電気段で符復号化を行うため、光符復号デバイスが不要である上、ＭＡＩやビート雑音低減のために非特許文献１〜３で必要であった時間ゲートや光閾値デバイスが不要である。更には、電気段での符号拡散を空間的に行うため、時間拡散を行う非特許文献５の方式において要求されるチップレート（＝ビットレート×符号長）での動作が不要であり、ビットレートと同等の動作速度を有する電気回路で構成可能である。
【０００７】
非特許文献４の方式では、送受信される多波長信号光の光周波数成分数は、固有符号のうち符号長が最長である固有符号の符号長Ｋと等しい。これに対して、非特許文献６では、各光周波数成分を２値／多値変換手段にて生成される多値データのうちの２個ずつを用いて直交振幅変調（ＱＡＭ：Ｑｕａｄｒａｔｕｒｅ  Ａｍｐｌｉｔｕｄｅ  Ｍｏｄｕｌａｔｉｏｎ）する方式が提案されている（図２）。各光周波数成分を多値データのうちの１個ずつを用いて多値ＡＳＫする非特許文献４の方式と比べて、同じ固有符号を割り当てた際に必要となる光周波数成分数が半減し、光検波器数を削減できる。
【０００８】
非特許文献６では、位相雑音成分および偏光状態が多波長信号光と一致した多波長パイロット光を送信回路側から多波長信号光とともに送る自己ホモダイン型構成をとることにより、受信回路にて光位相および偏光状態の調整を行うことなく、ＱＡＭ信号光から光電界強度・光位相の両情報を取り出す。よって、受信回路内に必要となる光部品は、非特許文献４の方式と同様に光周波数分波手段と光検波器のみである。多波長パイロット光の各光周波数成分は、多値データ（Ｂ［Ｓｙｍｂｏｌ／ｓ］）に位相同期したクロック（Ｂ［Ｈｚ］）を用いてπ／２位相変調（ＰＳＫ：Ｐｈａｓｅ  Ｓｈｉｆｔ  Ｋｅｙｉｎｇ）されている。パイロット光は、送信回路内の各光変調器の出力端において、ＱＡＭ信号光を構成する互いに光位相が直交する２成分のうちのどちらかと同相となる。ＱＡＭ信号光とパイロット光の光電界の時間変化は、互いに光位相が直交する２成分ごとに図３で表わされる。
【０００９】
受信回路では、光検波器にて各光周波数成分を２乗検波し、ＱＡＭ信号光とパイロット光とのビート成分を主信号として取り出す。パイロット光の光位相が１／（２Ｂ）［ｓ］ごとにπ／２シフトするため、ＱＡＭ信号光が搬送する２個の多値データが交互に時分割多重される。ビート成分は、２光の同相成分間の光位相差（０またはπ）に応じて正負の値を取り、信号光の光電界強度に応じて絶対値が変動するため、本構成によりＱＡＭ信号光が復調される。時分割多重された多値データをＤＥＭＵＸ手段にて分離した後、電気復号化手段に割り当てられた符号に応じた加減算により所望２値データが選択的に取り出される。
【先行技術文献】
【非特許文献】
【００１０】
【非特許文献１】Ｖ．Ｊ．Ｈｅｒｎａｎｄｅｚ，  ｅｔ  ａｌ．，“Ａ  ３２０−Ｇｂ／ｓ  ｃａｐａｃｉｔｙ  （３２−ｕｓｅｒ×１０Ｇｂ／ｓ）  ＳＰＥＣＴＳ  Ｏ−ＣＤＭＡ  ｎｅｔｗｏｒｋ  ｔｅｓｔｂｅｄ  ｗｉｔｈ  ｅｎｈａｎｃｅｄ  ｓｐｅｃｔｒａｌ  ｅｆｆｉｃｉｅｎｃｙ  ｔｈｒｏｕｇｈ  ｆｏｒｗａｒｄ  ｅｒｒｏｒ  ｃｏｒｒｅｃｔｉｏｎ，”  Ｊ．  Ｌｉｇｈｔｗａｖｅ  Ｔｅｃｈｎｏｌ．，  ｐｐ．７９−８６，  Ｊａｎ．  ２００７
【非特許文献２】Ｐ．Ｔｏｌｉｖｅｒ，  ｅｔ  ａｌ．，“Ｄｅｍｏｎｓｔｒａｔｉｏｎ  ｏｆ  ｈｉｇｈ  ｓｐｅｃｔｒａｌ  ｅｆｆｉｃｉｅｎｃｙ  ｃｏｈｅｒｅｎｔ  ＯＣＤＭ  ｕｓｉｎｇ  ＤＱＰＳＫ，  ＦＥＣ，  ａｎｄ  ｉｎｔｅｇｒａｔｅｄ  ｒｉｎｇ  ｒｅｓｏｎａｔｏｒ−ｂａｓｅｄ  ｓｐｅｃｔｒａｌ  ｐｈａｓｅ  ｅｎｃｏｄｅｒ／ｄｅｃｏｄｅｒｓ，”  ＯＦＣ２００７，  ＰＤＰ７，  ２００７
【非特許文献３】Ｔ．Ｈａｍａｎａｋａ，  ｅｔ  ａｌ．，“Ｃｏｍｐｏｕｎｄ  ｄａｔａ  ｒａｔｅ  ａｎｄ  ｄａｔａ−ｒａｔｅ−ｆｌｅｘｉｂｌｅ  ６２２  Ｍｂ／ｓ−１０  Ｇｂ／ｓ  ＯＣＤＭＡ  ｅｘｐｅｒｉｍｅｎｔｓ  ｕｓｉｎｇ  ５１１−ｃｈｉｐ  ＳＳＦＢＧ  ａｎｄ  ｃａｓｃａｄｅｄ  ＳＨＧ−ＤＦＧ−ｂａｓｅｄ  ＰＰＬＮ  ｗａｖｅｇｕｉｄｅ  ｏｐｔｉｃａｌ  ｔｈｒｅｓｈｏｌｄｅｒ，”  ＩＥＥＥ  Ｊ．  Ｓｅｌｅｃｔｅｄ  Ｔｏｐｉｃｓ  ｉｎ  Ｑｕａｎｔｕｍ  Ｅｌｅｃｔｒｏｎ．，  ｐｐ．１５１６−１５２１，  Ｓｅｐ．／Ｏｃｔ．  ２００７
【非特許文献４】Ｓ．Ｋａｎｅｋｏ，  ｅｔ  ａｌ．，“Ｂｅａｔ−ｎｏｉｓｅ−ｆｒｅｅ  ＯＣＤＭ  ｔｅｃｈｎｉｑｕｅ  ｅｍｐｌｏｙｉｎｇ  ｓｐｅｃｔｒａｌ  Ｍ−ａｒｙ  ＡＳＫ  ｂａｓｅｄ  ｏｎ  ｅｌｅｃｔｒｉｃａｌ−ｄｏｍａｉｎ  ｓｐａｔｉａｌ  ｃｏｄｅ  ｓｐｒｅａｄｉｎｇ，”  ＯＦＣ２００９，  ＯＴｈＩ５，  ２００９
【非特許文献５】Ｇ．Ｃ．Ｇｕｐｔａ，  ｅｔ  ａｌ．，“Ａ  ｓｉｍｐｌｅ  ｏｎｅ−ｓｙｓｔｅｍ  ｓｏｌｕｔｉｏｎ  ＣＯＦ−ＰＯＮ  ｆｏｒ  ｍｅｔｒｏ／ａｃｃｅｓｓ  ｎｅｔｗｏｒｋｓ，”  Ｊ．  Ｌｉｇｈｔｗａｖｅ  Ｔｅｃｈｎｏｌ．，  ｐｐ．１９３−２００，  Ｊａｎ．  ２００７
【非特許文献６】金子他，“電気段空間符号拡散に基づく周波数領域Ｏ−ＣＤＭへの直交振幅変調の適用”，信学会総合大会，  Ｂ−１０−７９，  ２０１１）
【発明の概要】
【発明が解決しようとする課題】
【００１１】
しかしながら、非特許文献６の方式は、ＱＡＭ信号光およびパイロット光の信号帯域が送受信回路内で制限される場合、信号波形が図４のように鈍り、ＱＡＭ信号光を構成する互いに光位相が直交する２成分のいずれかとパイロット光とが同相となる時が、ＱＡＭ信号光におけるシンボル間の遷移時間内となる。その結果、２乗検波により生成されるビート成分の強度が弱くなり、受信特性が劣化しやすいという課題がある。
【００１２】
そこで、上記課題を解決すべく、本発明は、ＱＡＭ信号光およびパイロット光の信号帯域が送受信回路内で制限される場合であっても２乗検波により生成されるビート成分の強度を保つことができ、受信特性が劣化し難い光ＣＤＭ送信回路および光ＣＤＭ受信回路を提供することを目的とする。
【課題を解決するための手段】
【００１３】
上記課題の解決のため、本発明は、多値信号光を構成する互いに光位相が直交する各成分間のシンボル位相差が１／（２Ｂ）となるように光変調を行うとともに、パイロット光を、前記多値信号光を構成する互いに光位相が直交する各成分がシンボル中心である時に当該成分と同相とし、偏光状態が前記多値信号光と一致させることとした。ここで、Ｂは多値データのシンボル速度である。
【００１４】
具体的には、本発明に係る光ＣＤＭ送信回路は、２種の符号要素で構成された符号長がＫ以下（Ｋは２以上の整数）であるＮ個（Ｎは２以上の整数）の固有符号に基づき、Ｎ個の２値データからＫ個のＢ［Ｓｙｍｂｏｌ／ｓ］多値データを生成する２値／多値変換手段と、それぞれ光周波数が異なる連続光が入力され、入力された前記連続光を分岐し、一方を前記多値データのうちの２個を用いてそれぞれ変調して２つの多値信号光を生成して出力し、他方をＢ［Ｈｚ］クロックを用いてπ／２位相変調したパイロット光を生成して出力する光変調手段と、各々の前記光変調手段が出力する前記多値信号光と前記パイロット光とを合波して、多波長信号光および多波長パイロット光を出力する光合波手段と、を備える。前記光変調手段は、出力する前記多値信号光について、前記多値信号光を構成する互いに光位相が直交する各成分間のシンボル位相差を１／（２Ｂ）［ｓ］とし、出力する前記パイロット光について、前記多値信号光を構成する互いに光位相が直交する各成分がシンボル中心である時に前記成分と同相とし、且つ偏光状態を前記多値信号光と一致させることを特徴とする。
【００１５】
多値信号光を構成する互いに光位相が直交する各成分間のシンボル位相差が１／（２Ｂ）［ｓ］であり、各成分がシンボル中心である時に当該成分とパイロット光とが同相となる。そのため、多値信号光およびパイロット光の信号帯域が送受信回路内で制限されて信号波形が鈍った場合においても、パイロット光と多値信号光を構成する互いに光位相が直交する２成分のいずれかとが同相となる時に多値信号光におけるシンボル間の遷移時間内となることがない。このため、非特許文献６の方式において課題となる受信特性の劣化が生じない。
【００１６】
従って、本発明は、ＱＡＭ信号光およびパイロット光の信号帯域が送受信回路内で制限される場合であっても２乗検波により生成されるビート成分の強度を保つことができ、受信特性が劣化し難い光ＣＤＭ送信回路を提供することができる。
【００１７】
本発明に係る光ＣＤＭ送信回路の前記２値／多値変換手段は、Ｎ個の拡散符号器、Ｋ個の加算器を有している。各々の前記拡散符号器は、前記固有符号が割り当てられ、割り当てられた前記固有符号の符号長以上の個数の出力端を持ち、前記固有符号を構成する各符号要素を前記出力端へ順に対応させた際に、前記２種の符号要素のうちの一方の符号要素に対応する前記出力端からは前記拡散符号器へ入力された２値データとシンボル値が一致する信号を出力し、他方の符号要素に対応する前記出力端からは０を出力する。ｋ番目（ｋ＝１，２，・・・，Ｋ）の前記加算器は、ｋ番目の前記多値データのシンボル値が、各々の前記拡散符号器のｋ番目の出力端からの出力信号のシンボル値の和となるように、各々の前記拡散符号器のｋ番目の出力端からの出力信号を加算する。
【００１８】
本発明に係る光ＣＤＭ送信回路の前記光変調手段が出力する前記多値信号光を構成する互いに光位相が直交する２成分は、それぞれの光電界強度が、前記光変調手段へ入力された２個の前記多値データのうち対応する一方のシンボル値に応じて変動し、前記光変調手段内でのそれぞれの光位相シフト量が、前記光変調手段へ入力された２個の前記多値データのうち対応する一方のシンボル値に応じて、差がπである２値のいずれかとなることを特徴とする。
【００１９】
本発明に係る光ＣＤＭ受信回路は、前記光ＣＤＭ送信回路からの多波長信号光および多波長パイロット光が入力され、前記多波長信号光および前記多波長パイロット光を光周波数成分ごとに分波して出力する光周波数分波手段と、前記光周波数分波手段から入力光を２乗検波し、前記多値信号光と前記パイロット光とのビート成分を主信号として取り出すことで、前記多値信号光を構成する互いに光位相が直交する各成分が搬送する多値データを交互に時分割多重する光検波器と、前記光検波器が出力する時分割多重された多値データを分離して、別々の分離出力端から出力するＤＥＭＵＸ手段と、１番目からＮ番目の前記固有符号のうちの１つが割り当てられ、前記ＤＥＭＵＸ手段の各分離出力端が接続されており、割り当てられた前記固有符号を構成する前記符号要素を前記分離出力端へ順に対応させた際に、前記固有符号を構成する２種の前記符号要素のうちの一方に対応する前記分離出力端からの入力を正、他方の前記符号要素に対応する前記分離出力端からの入力を負として加える加減算を行い、前記２値／多値変換手段に入力された前記２値データのうちの１つを選択的に取り出す電気復号化手段と、を備える。
【発明の効果】
【００２０】
本発明は、ＱＡＭ信号光およびパイロット光の信号帯域が送受信回路内で制限される場合であっても２乗検波により生成されるビート成分の強度を保つことができ、受信特性が劣化し難い光ＣＤＭ送信回路および光ＣＤＭ受信回路を提供することができる。
【図面の簡単な説明】
【００２１】
【図１】本発明に関連する光ＣＤＭ伝送システムの構成例を説明する図である。
【図２】本発明に関連する光ＣＤＭ伝送システムの構成例を説明する図である。
【図３】多値信号光及びパイロット光の光電界の時間変化を説明する図である。
【図４】多値信号光及びパイロット光の光電界の時間変化を説明する図である。
【図５】本発明に関連する光ＣＤＭ送信回路の２値／多値変換手段の構成例を説明する図である。
【図６】本発明に関連する光ＣＤＭ送信回路のプリバイアス回路の構成例を説明する図である。
【図７】本発明に関連する光ＣＤＭ送信回路のプリバイアス回路の構成例を説明する図である。
【図８】本発明に係る光ＣＤＭ送信回路の多値信号光及びパイロット光の光電界の時間変化を説明する図である。
【図９】本発明に係る光ＣＤＭ送信回路の光変調手段の構成例を説明する図である。
【図１０】本発明に係る光ＣＤＭ送信回路の光変調手段の構成例を説明する図である。
【図１１】本発明に係る光ＣＤＭ受信回路の構成例を説明する図である。
【発明を実施するための形態】
【００２２】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。また、枝番号を付さずに説明する場合は、その構成要素全てに共通する説明である。
【００２３】
本実施形態における光ＣＤＭ伝送システムは、図２の光ＣＤＭ伝送システムと同様に、光ＣＤＭ送信回路２０１と、複数の光ＣＤＭ受信回路２０２とが、光ファイバ伝送路２０３により接続された構成である。
【００２４】
光ＣＤＭ送信回路２０１は、２種の符号要素で構成された符号長がＫ以下（Ｋは２以上の整数）であるＮ個（Ｎは２以上の整数）の固有符号に基づき、Ｎ個の２値データからＫ個のＢ［Ｓｙｍｂｏｌ／ｓ］多値データを生成する２値／多値変換手段１１と、それぞれ光周波数が異なる連続光が入力され、入力された連続光を分岐し、一方を多値データのうちの２個を用いてそれぞれ変調して２つの多値信号光を生成して出力し、他方をＢ［Ｈｚ］クロックを用いてπ／２位相変調したパイロット光を生成して出力する光変調手段１２と、各々の光変調手段１２が出力する多値信号光とパイロット光とを合波して、多波長信号光および多波長パイロット光を出力する光合波手段１３と、を備える。光変調手段１２は、出力する多値信号光について、多値信号光を構成する互いに光位相が直交する各成分間のシンボル位相差を１／（２Ｂ）［ｓ］とする。また、光変調手段１２は、出力するパイロット光について、多値信号光を構成する互いに光位相が直交する各成分がシンボル中心である時に当該成分と同相とし、且つ偏光状態を多値信号光と一致させる。
【００２５】
図９は、光変調手段１２の構成を説明する図である。光変調手段１２には、それぞれ光周波数が異なる連続光が入力される。連続光は光変調手段内で分岐される。多値信号光生成部８０Ａは、連続光の一方を２値／多値変換手段１１にて生成されたＢ［Ｓｙｍｂｏｌ／ｓ］多値データのうちの２個を用いて変調し、多値信号光を生成する。パイロット光生成部８０Ｂは、連続光の他方をＢ［Ｈｚ］クロックを用いてπ／２位相変調し、パイロット光を生成する。
【００２６】
光周波数合波手段１３は、アレイ導波路回折格子（ＡＷＧ：Ａｒｒａｙｅｄ  Ｗａｖｅｇｕｉｄｅ  Ｇｒａｔｉｎｇ）や多層膜フィルタ等、あるいは光ファイバやＰＬＣ（Ｐｌａｎａｒ  Ｌｉｇｈｔｗａｖｅ  Ｃｉｒｃｕｉｔ）により作成された光カプラである。光周波数合波手段１３は、各光変調手段１２が出力する多値信号光とパイロット光とを合波し、多波長信号光および多波長パイロット光を光ファイバ伝送路２０３に出力する。多波長信号光および多波長パイロット光は光ファイバ伝送路２０３を介して各光ＣＤＭ受信回路２０２へ伝送される。
【００２７】
ここで、多波長信号光の各光周波数成分の光強度は等しい。同様に、多波長パイロット光の各光周波数成分の光強度は等しい。光ＣＤＭ送信回路２０１のように出力光の光周波数が異なる各光源と各光変調手段１２を１対１に接続する構成の他、多波長光源の出力を光周波数成分ごとに分離して各光変調手段１２へ入力する構成も可能である。単一モード光の出力を高周波正弦波で変調して多波長化する構成、モード同期レーザ等を多波長光源として用いることが可能である。
【００２８】
図５は、２値／多値変換手段１１の構成を説明する図である。２値／多値変換手段１１は、Ｎ個の拡散符号器２１、Ｋ個の加算器２２を有する。各々の拡散符号器２１は、固有符号が割り当てられ、割り当てられた固有符号の符号長以上の個数の出力端２３を持ち、固有符号を構成する各符号要素を出力端２３へ順に対応させた際に、２種の符号要素のうちの一方の符号要素に対応する出力端２３からは拡散符号器へ入力された２値データとシンボル値が一致する信号を出力し、他方の符号要素に対応する出力端２３からは０を出力する。ｋ番目（ｋ＝１，２，・・・，Ｋ）の加算器２２は、ｋ番目の多値データのシンボル値が、各々の拡散符号器２１のｋ番目の出力端２３からの出力信号のシンボル値の和となるように、各々の拡散符号器２１のｋ番目の出力端２３からの出力信号を加算する。
【００２９】
２値／多値変換手段１１は、Ｎ個の固有符号に基づき、シンボル値がそれぞれｄ１（ｔ）〜ｄＮ（ｔ）であるＮ個の２値データから、シンボル値がそれぞれＤ１（ｔ）〜ＤＫ（ｔ）であるＫ個の多値データを生成する。Ｋは、Ｎ個の固有符号のうちで符号長が最長である固有符号の符号長である。固有符号としては、光周波数領域において符号化を行う光ＣＤＭ方式において用いられるアダマール符号やビットシフトしたＭ系列符号などを用いる。多値データが各シンボル値に応じてとりうる電圧レベルは、所望の間隔となるように２値／多値変換手段１１内にて調整される。
【００３０】
２値／多値変換手段１１は、ｋ番目（ｋ＝１，２，・・・，Ｋ）の多値データのシンボル値Ｄｋ（ｔ）が数（１）で表わされる２値／多値変換を行う。
【数１】
2013081077.tif 000003
ｃｎ，ｋは固有符号ｎ（ｎ＝１，２，・・・，Ｎ）のｋ番目の符号要素である。
【００３１】
拡散符号器２１は、Ｋ個のスイッチ（ＳＷ）を備える。入力された２値データは分岐され、各ＳＷを介して出力端２３より出力される。拡散符号器２１に割り当てられた固有符号を構成する各符号要素｛１｝，｛０｝を各出力端２３へ順に対応させた際に、符号要素｛１｝に対応する出力端２３に接続するＳＷのみをＯＮとすることにより、各出力端２３からの出力は各符号要素の値ｃｎ，ｋと拡散符号器２１への入力データのシンボル値ｄｎ（ｔ）との積ｃｎ，ｋ×ｄｎ（ｔ）で表わされる。例えば、固有符号１｛１，１，０，・・・，０｝が割り当てられた拡散符号器２１−１の出力端（２３−１１、２３−１２、２３−１３、・・・、２３−１Ｋ）の出力信号のシンボル値は、ｄ１（ｔ）＝１の場合、順に“１”，“１”，“０”，・・・，“０”となり、ｄ１（ｔ）＝０の場合はすべて“０”となる。
【００３２】
プリバイアス回路２４は、加算器２２から出力される多値データが各シンボル値に応じてとる電圧レベルを調整する。プリバイアス回路２４の構成例を図６に示す。プリバイアス回路２４は、多値データの多値数をＭとすると、Ｍ−１個以上の重み付け回路３１を有する構成である。入力された多値信号は分岐され、各重み付け回路３１へ入力される。重み付け回路３１は、入力信号の電圧レベルが閾値電圧以上の場合に１を、閾値電圧以下の場合に０を出力する識別器３２と、識別器３２の出力に所定の重み付け係数（Ｘ１，Ｘ２，・・・）を乗じて出力する乗算器３３を含む。各重み付け回路３１の出力は加算され、光変調手段１２へ出力される。
【００３３】
ｍ番目（ｍ＝１，２，・・・，Ｍ−１）の重み付け回路３１−ｍにおける識別器３２の閾値電圧ＶＴｈ＿ｍは、入力多値データのシンボル値“ｍ−１”に対応する電圧レベルと、シンボル値“ｍ”に対応する電圧レベルとの間に設定される。ある時刻における入力多値データがシンボル値“ｉ”に対応する場合、重み付け回路（３１−１〜３１−ｉ）内の識別器３２が１を出力し、他の識別器３２が０を出力するため、各重み付け回路３１の出力を加算したプリバイアス回路の出力は、Ｘ１＋Ｘ２＋…＋Ｘｉとなる。同様に、入力多値データがシンボル値“ｉ＋１”に対応する場合、プリバイアス回路２４の出力は、Ｘ１＋Ｘ２＋…＋Ｘｉ＋Ｘｉ＋１となる。よって、プリバイアス回路２４が出力する多値データの各シンボル値に対応する電圧レベルの間隔は、順に、Ｘ１，Ｘ２，・・・，ＸＭ−１となる。つまり、重み付け係数Ｘ１〜ＸＭ−１を変化させることにより、各シンボル値に対応する電圧レベルの間隔が所望の比である多値データを、柔軟に生成することが可能である。
【００３４】
図７のように、多値データのシンボル値Ｄｋ（ｔ）に応じてＳＷ０〜ＳＷＭ−１のいずれかがＯＮとなる回路をプリバイアス回路２４として用いることも可能である。また、拡散符号器２１、加算器２２およびプリバイアス回路２４での演算を予め記憶させたメモリとＤ／Ａコンバータを組み合わせて２値／多値変換手段１１を構成することもできる。
【００３５】
光変調手段１２の出力端において、多値信号光を構成する互いに光位相が直交する各成分間のシンボル位相差は１／（２Ｂ）［ｓ］である。パイロット光は、多値信号光を構成する互いに光位相が直交する各成分がシンボル中心である時に当該成分と同相となる。多値信号光とパイロット光の位相雑音成分および偏光状態は一致している。
【００３６】
光変調手段１２が出力する多値信号光を構成する互いに光位相が直交する２成分は、それぞれの光電界強度が、光変調手段１２へ入力された２個の多値データのうち対応する一方のシンボル値に応じて変動し、光変調手段１２内でのそれぞれの光位相シフト量が、光変調手段１２へ入力された２個の前記多値データのうち対応する一方のシンボル値に応じて、差がπである２値のいずれかとなる。
【００３７】
多値信号光とパイロット光の光電界の時間変化を、互いに光位相が直交する２成分ごとに図８に示す。各成分の光電界は２値／多値変換手段１１から入力された２個の多値データのうち対応する一方のシンボル値に応じて変動する。ここで、多値データのとりうる電圧レベルは、多値変調の非線形性を補償するように２値／多値変換手段１１内で調整されている。図８中の“Ｍ”は、光変調手段１２へ入力される各多値データの多値度を表わす。
【００３８】
光変調手段の構成例を図９に示す。多値信号光生成部８０Ａは、アーム長が等しいＭａｃｈ−Ｚｅｈｎｄｅｒ干渉計の各アームに、強度変調にともなう位相チャープがないゼロチャープ型の光強度変調手段８１を組み込んだ構成である。多値信号光生成部８０Ａへの入力光は分岐され、それぞれ振幅位相変調（ＡＰＳＫ：Ａｍｐｌｉｔｕｄｅ  Ｐｈａｓｅ  Ｓｈｉｆｔ  Ｋｅｙｉｎｇ）された後、再び合波される。合波した際に多値ＡＰＳＫ信号光間で、光位相が互いに直交し、シンボル位相差が１／（２Ｂ）［ｓ］となる。図９は、一方のアーム内のみで光位相調整を行う構成であるが、両方のアーム内にて光位相調整を行うことにより多値ＡＰＳＫ信号光間の相対光位相差をπ／２とする構成も可能である。
【００３９】
図９の構成では、光強度変調手段８１へ入力される多値データのうちの一方を、他方と比較して１／（２Ｂ）［ｓ］だけシンボル位相調整手段９１にて遅延させることにより、多値ＡＰＳＫ信号光間のシンボル位相差を所望の値としている。図１０のようにＭａｃｈ−Ｚｅｈｎｄｅｒ干渉計の各アームの光路長に光遅延線８９を配置し、１／（２Ｂ）［ｓ］だけ差をつけることで、図９の構成において必要であった電気段での遅延（シンボル位相調整手段９１）を不要化することも可能である。
【００４０】
ゼロチャープ型の光強度変調手段８１は、例えば、図９のように、差動信号生成手段８３において生成した極性が反転関係にある２信号を、Ｄｕａｌ−Ｄｒｉｖｅ  Ｍａｃｈ−Ｚｅｈｎｄｅｒ干渉計型の光強度変調器８４の各電極に印加する構成により実現できる。Ｄｕａｌ−Ｄｒｉｖｅ  Ｍａｃｈ−Ｚｅｈｎｄｅｒ干渉計型の光強度変調器８４としては、２電極型ＬＮ強度変調器などがこれにあたる。差動信号生成手段８３として、ディバイダとインバータを組み合わせた構成の他、差動アンプを用いることができる。
【００４１】
光変調手段１２の出力端において、多値信号光を構成する互いに光位相が直交する各成分がシンボル中心である時に当該成分とパイロット光が同相となるように、パイロット光のクロック位相および光位相が調整される。図９では、パイロット光生成部８０Ｂへ入力するクロックの位相を電気段に配置したクロック位相調整手段８６で調整しているが、図１０の構成のようにパイロット光生成部８０Ｂに所望の長さの光遅延線９０を追加することにより、クロック位相調整手段８６を不要化することも可能である。
【００４２】
図１１は、図２の光ＣＤＭ伝送システムが備える光ＣＤＭ受信回路２０２の構成を説明する図である。光ＣＤＭ受信回路２０２は、光ＣＤＭ送信回路２０１からの多波長信号光および多波長パイロット光が入力され、多波長信号光および多波長パイロット光を光周波数成分ごとに分波して出力する光周波数分波手段４２と、光周波数分波手段４２から入力光を２乗検波し、多値信号光とパイロット光とのビート成分を主信号として取り出すことで、多値信号光を構成する互いに光位相が直交する各成分が搬送する多値データを交互に時分割多重する光検波器４３と、光検波器４３が出力する時分割多重された多値データを分離して、別々の分離出力端４６から出力するＤＥＭＵＸ手段４４と、１番目からＮ番目の固有符号のうちの１つが割り当てられ、ＤＥＭＵＸ手段４４の各分離出力端４６が接続されており、割り当てられた固有符号を構成する符号要素を分離出力端４６へ順に対応させた際に、固有符号を構成する２種の符号要素のうちの一方に対応する分離出力端４６からの入力を正、他方の符号要素に対応する分離出力端４６からの入力を負として加える加減算を行い、２値／多値変換手段１１に入力された２値データのうちの１つを選択的に取り出す電気復号化手段４５と、を備える。
【００４３】
光ＣＤＭ受信回路２０２へ入力された多波長信号光および多波長パイロット光は、光周波数分波手段４２により光周波数成分ごとに分離される。各光周波数成分は、光周波数分波手段４２の各出力端と１対１に接続された光検波器４３に入力される。ここで、多波長信号光の各光周波数成分の光強度は等しいため、各光検波器４３に入力される多値信号光の光強度は光検波器４３間で等しい。同様に、多波長パイロット光の各光周波数成分の光強度は等しいため、各光検波器４３に入力されるパイロット光の光強度は光検波器４３間で等しい。光検波器４３では２乗検波により多値信号光とパイロット光とのビート成分が主信号として取り出され、多値信号光が搬送する２個の多値データが交互に時分割多重される。ＤＥＭＵＸ手段４４は光検波器４３と１対１に接続され、時分割多重された多値データを分離して、別々の分離出力端４６から出力する。ＤＥＭＵＸ手段４４が出力する多値データは、各シンボル値に対応する電圧レベルが等間隔である。
【００４４】
電気復号化手段４５は、ＤＥＭＵＸ手段４４の各分離出力端４６からの多値データが入力される。割り当てられた固有符号を構成する各符号要素｛１｝，｛０｝を入力端へ順に対応させた際に、｛１｝に対応する入力端からの入力を正、｛０｝に対応する入力端からの入力を負として加える加減算を行う。固有符号の直交性により、光ＣＤＭ送信回路２０１において２値／多値変換手段１１へ入力されたＮ個の２値データのうちの所望データが選択的に取り出される。ここで、上述のように、ＤＥＭＵＸ手段４４の出力する多値データは、各シンボル値に対応する電圧レベルが等間隔である。また、ＤＥＭＵＸ手段４４の前に配置された各光検波器４３に入力される多値信号光とパイロット光の光強度は、光検波器４３間で一致しているため、異なるＤＥＭＵＸ手段４４の出力する多値データ同士で電圧レベル間隔が一致する。よって、電気復号化手段４５における加減算により非所望データ成分は除去される。
【００４５】
図２中の各光ＣＤＭ受信回路２０２は１個の電気復号化手段４５を備える構成であるが、図１１のように、それぞれ異なる固有符号を割り当てられた複数の電気復号化手段４５を備えることも可能である。ＤＥＭＵＸ手段４４の出力は分岐され、各電気復号化手段４５へ入力される。固有符号を割り当てられた各電気復号化手段４５は、光ＣＤＭ送信回路２０１内の２値／多値変換手段１１にて同じ符号に基づいて符号拡散される２値データを出力する。一方、符号を割り当てられない電気符号化手段４５が０を出力すると、各光ＣＤＭ受信回路２０２が所望する情報量の大小に応じて、各光ＣＤＭ受信回路２０２内の電気復号化手段４５への固有符号の割り当てを動的に変化させることにより、伝送効率を向上させることが可能となる。つまり、大きな情報量を所望する光ＣＤＭ受信回路２０２内の複数の電気復号化手段４５へ固有符号を割り当てることにより、複数の信号を同時に受信し、一定時間に受信できる情報量を増大することが可能となる。
【００４６】
（本実施形態の効果）
本実施形態においては、多値信号光を構成する互いに光位相が直交する各成分間のシンボル位相差が１／（２Ｂ）［ｓ］であり、各成分がシンボル中心である時に当該成分とパイロット光とが同相となる。そのため、多値信号光およびパイロット光の信号帯域が送受信回路内で制限されて信号波形が鈍った場合においても、パイロット光と多値信号光を構成する互いに光位相が直交する２成分のいずれかとが同相となる時に多値信号光におけるシンボル間の遷移時間内となることがない。よって、非特許文献６の方式において課題となる受信特性の劣化が生じない。
【符号の説明】
【００４７】
１１：２値／多値変換手段
１２、１２−１、１２−２、・・・、１２−Ｋ／２：光変調手段
１３：光周波数合波手段
１４、１４−１、１４−２、・・・、１４−Ｋ／２：光源
２１、２１−１、２１−２、・・・、２１−Ｎ：拡散符号器
２２、２２−１、２２−２、・・・、２２−Ｋ：加算器
２３、２３−１１、２３−１２、・・・：出力端
２４、２４−１、２４−２、・・・、２４−Ｋ：プリバイアス回路
３１、３１−１、３１−２、・・・、３１−Ｍ−１：重み付け回路
３２：識別器
３３：乗算器
４２：光周波数分波手段
４３、４３−１、４３−２、・・・、４３−Ｋ／２：光検波手段
４４、４４−１、４４−２、・・・、４４−Ｋ／２：ＤＥＭＵＸ手段
４５、４５−１、４５−２、・・・、４５−Ｎ：電気復号化手段
４６、４６−１、４６−２、・・・、４６−Ｋ：分離出力端
８０Ａ：多値信号光生成部
８０Ｂ：パイロット光生成部
８１：光強度変調手段
８３：差動信号生成手段
８４：光強度変調器
８５：光位相調整手段
８６：クロック位相調整手段
８７：光位相変調器
８８：光位相調整手段
８９、９０：光遅延線
９１：シンボル位相調整手段
２０１：光ＣＤＭ送信回路
２０２、２０２−１、２０２−２、・・・、２０２−Ｎ：光ＣＤＭ受信回路
２０３：光ファイバ伝送路
【図１】
2013081077.tif 000004
【図２】
2013081077.tif 000005
【図３】
2013081077.tif 000006
【図４】
2013081077.tif 000007
【図５】
2013081077.tif 000008
【図６】
2013081077.tif 000009
【図７】
2013081077.tif 000010
【図８】
2013081077.tif 000011
【図９】
2013081077.tif 000012
【図１０】
2013081077.tif 000013
【図１１】
2013081077.tif 000014